(57)【要約】【課題】  本発明は、薄型化が可能な少ない部品点数でシャッタ羽根、およびフィルタ羽根または絞り羽根を操作可能なシャッタ装置を提供すること。【解決手段】  本発明に係わる第１リンク部材２９は、回動支持部２９ｂを第１リンク支持部２５ａに支持した状態で左右端部がシーソー状に回動可能になっており、第１リンク部材２９の互いに対向する上下面には、第１マグネット３０がそれぞれ固着され、このそれぞれの第１マグネット３０と対向する下方側には第１コイル２３が、上方側には第２コイル３５がそれぞれ配設され、第１、第２コイル２３、３５に通電して発生する磁束が、それぞれの第１マグネット３０の磁束に作用して、第１リンク部材２９が回動支持部２９ｂを支点としてシーソー状に回動するようになっている。【選択図】        図１
2005227530.tif 000002
【特許請求の範囲】
【請求項１】
所定の口径の開口部が形成された基部を有するベース部材と、このベース部材のシャッタ支持部に支持されて前記開口部を開閉する方向に回動可能なシャッタ羽根と、このシャッタ羽根を回動操作可能な第１リンク部材とを備え、前記ベース部材には、前記基部の外側に配設した前記第１リンク部材を回動自在に支持可能な第１リンク支持部が形成され、
前記第１リンク部材は、前記第１リンク支持部に支持可能な回動支持部が形成され、この回動支持部を前記第１リンク支持部に支持した状態で左右端部がシーソー状に回動可能になっており、
前記第１リンク部材の互いに対向する一方と他方の両面には、第１マグネットがそれぞれ固着され、このそれぞれの第１マグネットと対向する一方側には第１コイルが、他方側には第２コイルがそれぞれ配設され、前記第１、第２コイルに通電して発生する磁束が、それぞれの前記第１マグネットの磁束に作用して、前記第１リンク部材が前記回動支持部を支点として前記シーソー状に回動することにより、前記シャッタ羽根が前記開口部を開閉可能になっていることを特徴とするシャッタ装置。
【請求項２】
前記第１リンク部材には、前記シャッタ羽根を回動操作可能なシャッタ駆動部が形成され、前記シャッタ羽根は、薄板状に形成されて、前記ベース部材の前記シャッタ支持部に支持可能な支持部と前記第１リンク部材の前記シャッタ駆動部が係合可能な係合部とが形成され、
前記シャッタ羽根は、前記第１リンク部材の回動が前記シャッタ駆動部を介して前記係合部に伝達されると、前記支持部を支点として前記第１リンク部材の回動方向と逆方向に回動することを特徴とする請求項１記載のシャッタ装置。
【請求項３】
前記第１リンク部材のシャッタ駆動部は、突起状に形成され、前記シャッタ羽根の前記係合部は、楕円状に形成され、前記第１リンク部材が回動すると、前記シャッタ駆動部が前記係合部の内周面をスライドして、前記シャッタ羽根が支持部を支点として前記開口部を開閉する方向に回動するようにしたことを特徴とする請求項２記載のシャッタ装置。
【請求項４】
前記それぞれの第１マグネットは、中央部の磁壁を境として、左右の面が互いに異なる磁極になるように着磁されていることを特徴とする請求項１乃至３のいずれかに記載のシャッタ装置。
【請求項５】
前記ベース部材は、前記基部の外周部から外側に突出する第１リンクガイド部を有し、この第１リンクガイド部に前記第１リンク支持部が形成され、前記第１マグネットには、前記第１リンクガイド部が位置した状態で回動可能な逃げ部が形成され、
前記第１リンク部材は、前記基部の外周部の外側に配設されて、前記回動支持部が前記第１リンク支持部に支持されると共に、前記一方の面に固着した前記第１マグネットの前記逃げ部に前記第１リンクガイド部が位置して、前記基部の外周部に沿って回動自在になっていることを特徴とする請求項１乃至４のいずれかに記載のシャッタ装置。
【請求項６】
前記ベース部材には、前記基部の外周部から外側に突出する羽根ガイド部が形成され、この羽根ガイド部に形成した前記シャッタ支持部に支持された前記シャッタ羽根は、前記羽根ガイド部上を前記回動するようになっていることを特徴とする請求項１乃至５のいずれかに記載のシャッタ装置。
【請求項７】
前記ベース部材の前記羽根ガイド部には、突起状のフィルタ支持部が形成され、このフィルタ支持部には、ＮＤフィルタを取り付けたフィルタ羽根、または前記開口部の口径より小さい小径穴を有する絞り羽根が回動自在に支持され、前記ＮＤフィルタまたは前記小径穴により、前記開口部を通過する光量を調整可能になっていることを特徴とする請求項６記載のシャッタ装置。
【請求項８】
前記ベース部材の前記基部の外周部で、前記第１リンク部材と対向する側には、前記第１リンク部材と対称形状の第２リンク部材が配設され、前記ベース部材には、前記第２リンク部材を支持可能な第２リンク支持部が形成され、この第２リンク部材の一方と他方の面には、それぞれ第２マグネットが固着され、このそれぞれの第２マグネットと対向する側に前記第１、第２コイルが位置し、前記第１、第２コイルに通電することにより、前記フィルタ羽根または前記絞り羽根が回動するようにしたことを特徴とする請求項７記載のシャッタ装置。
【請求項９】
前記それぞれの第２マグネットは、長手方向の左右端部が互いに異なる磁極になるように着磁されていることを特徴とする請求項８記載のシャッタ装置。
【請求項１０】
前記第２マグネットは、前記長手方向の左右端部に、それぞれ磁性材からなるサイドヨークが配設され、このサイドヨークは、前記第２リンク部材に形成した支持溝に嵌合させて取り付けられていることを特徴とする請求項９記載のシャッタ装置。
【請求項１１】
前記フィルタ羽根または絞り羽根は、前記シャッタ羽根の上部または下部に重ねて配置したことを特徴とする請求項７乃至１０のいずれかに記載のシャッタ装置。
【請求項１２】
前記第１、第２リンク部材と、前記シャッタ羽根および前記フィルタ羽根または絞り羽根とは、上方側への動きを規制可能なトップカバーが配設されていることを特徴とする請求項８乃至１１のいずれかに記載のシャッタ装置。
【請求項１３】
前記第１コイルは、ドーナッツ状の磁性材からなるボトムヨークに固着され、前記第２コイルは、リング状の磁性材からなるトップヨークに固着されて、それぞれの巻線部と対向する位置に前記第１、第２マグネットが位置するようになっていることを特徴とする請求項１乃至１２のいずれかに記載のシャッタ装置。
【発明の詳細な説明】
【技術分野】
【０００１】
本発明は、シャッタ装置に係わり、デジタルムービーカメラあるいはデジタルスチルカメラ等に用いて好適なシャッタ装置に関する。
【背景技術】
【０００２】
従来のシャッタ装置を、特許文献１に基づいて説明すると、図１０に示すように、リング状のマグネット１には、中央部に嵌合孔１ａが形成され、上面側に突出するダボ１ｂと、下面側に突出する２本のダボ１ｃ、１ｄとが形成されている。
前記マグネット１は、円周方向にｎ等分されてＳ極・Ｎ極が交互に着磁されている。
また、マグネット１の上部には、円筒状のコイル２が、絶縁材料からなるボビン３に巻き付けられて配設されている。前記ボビン３には、ダボ３ａが突出形成されている。
【０００３】
また、コイル２の上部には、磁性材料からなる円盤状のヨーク４が配設され、このヨーク４には、櫛歯状の第１磁極部４ａ、４ｂ、４ｃ、４ｄ、４ｅが形成されている。そして、コイル２に通電することにより櫛歯状の第１磁極部４ａ、４ｂ、４ｃ、４ｄ、４ｅが励磁されてコイル３が回転するようになっている。
また、嵌合孔１ａに嵌合リング６を嵌合させたマグネット１の下部には、コイル２によって磁極部４ａ〜４ｅとは逆の極性が励磁される第２磁極部である平板状の羽根押さえ板９が配設されている。
前記羽根押さえ板９の中央には、所定の口径の開口部９ａが形成されている。
【０００４】
また、羽根押さえ板９の下部には、第１、第２シャッタ羽根７、８を介して中央に開口部５ａが形成されたベース部材５が配設され、このベース部材５には、ダボ５ｂ、５ｃが形成されていると共にマグネット１のダボ１ｃ、１ｄが係合可能な長孔５ｄ、５ｅが形成されている。そして、マグネット１が回転することにより、ダボ１ｃ、１ｄが長孔５ｄ、５ｃに当接して、マグネット１の回転角度が所定角度で規制されるようになっている。
また、第１シャッタ羽根７は、丸孔７ａがベース部材５のダボ５ｃに嵌合すると共に、丸孔７ｂがマグネット１のダボ１ｄに嵌合している。  
【０００５】
また、第２シャッタ羽根８は、丸孔８ａがベース部材５のダボ５ｂに嵌合すると共に、丸孔８ｂがマグネット１のダボ１ｃに嵌合している。前記ベース部材５の下部には、ＮＤフィルタ板１０が配設され、孔１０ａがベース部材５の下面に形成したダボ（図示せず）に嵌合して回転自在になっている。
前記ＮＤフィルタ板１０には、光の透過率が小さなフィルタ部１０ｂが接着剤等で貼付されて形成されている。
そして、ＮＤフィルタ板１０が孔１０ａを支点として回動することにより、フィルタ１０ｂがベース部材５および羽根押さえ板９の開口部５ａ、９ａを覆うことができるようになっている。
【０００６】
また、ヨーク４上には連動レバー１１が配設されており、孔１１ａがボビン３のダボ３ａに支持されて、孔１１ａを支点として連動レバー１１が回動自在になっている。また、連動レバー１１の溝部１１ｂは、マグネット１のダボ１ｂに嵌合しており、マグネット１が回転すると、この回転に応じた角度だけ孔１１ａを支点として連動レバー１１が回動するようになっている。
前記連動テバー１１には、ギア部１１ｃが形成され、このギア部１１ｃに入力ギア１２のギア部１２ａが噛み合っている。
【０００７】
前記入力ギア１２は、内部にラチエットギア（図示せず）を有する出力部材１３と共にワンウエイクラッチを構成している。また、出力部材１３のピン１３ｂがＮＤフィルタ板１０の長孔１０ｃと摺動可能に嵌合している。
そして、出力部材１３の回転に応じて、ＮＤフィルタ板１０が回動して、フィルタ部１０ｂがそれぞれの開口部５ａ、９ａを覆う動作、または開放する動作を行うようになっている。
【０００８】
このような構成の従来のシャッタ装置におけるマグネット１とＮＤフィルタ板１０との動作を説明すると、例えばコイル２に対して非通電時は、フィルタ部１０ｂが開口部５ａ、９ａから待避した第１の露光状態となって停止している。
この状態から、コイル２に通電を行い、ヨーク４の磁極部４ａ〜４ｅのＳ極に励磁すると、回転方向の電磁力を受けたマグネット１は、時計回り方向に所定角度回転する。
【０００９】
この時の入力ギア１２は、連動レバー１１を介して回転するが、出力部材１３は内部のラチエットギアの作用で回転しないようになっている。そのために、ＮＤフィルタ板１０のフィルタ１０ｂは、羽根押さえ板９の開口部９ａから回避した第１の露光状態で停止したままである。
ここで、コイル２への通電方向を反対にすると、ヨーク４の磁極部４ａ〜４ｅがＮ極に励磁されて、マグネット１は反時計回り方向に所定角度回転する。
【００１０】
また、マグネット１の反転に連動して入力ギア１２も反転し、出力部材１３のラチエットギアの作用で出力部材１３が反時計回り方向に所定角度回転する。
これの伴って、出力部材１３のピン１３ｂにより、ＮＤフィルタ１０が回動して、フィルタ部１０ｂが開口部５ａ、９ａを覆うようになる。
このことにより、開口部５ａ、９ａを通過する光量が第１の露光状態より少ない第２の露光状態となる。
【特許文献１】特開２００２−３４５２２５号公報
【特許文献２】特開２００３−１１１３７６号公報
【発明の開示】
【発明が解決しようとする課題】
【００１１】
しかし、前述したような従来のシャッタ装置は、シャッタ羽根７、８を回動操作するためのマグネット１で、連動レバー１１、入力ギア１２、出力部材１３等を介してＮＤフィルタ１０を回動させていたので、それぞれの部材間で発生するバックラッシュが累積されて、ＮＤフィルタ１０がアクチュエータであるマグネット１より若干遅れて回動する問題があった。
【００１２】
また、従来のシャッタ装置は、連動レバー１１、入力ギア１、および内部にラチエットギアを有する出力部材１３等が必要であったので、部品点数が多くなってコストアップになると共に、厚さ寸法が厚くなる問題があった。
本発明は、前述したような課題を解決するためのものであり、薄型化が可能で部品点数の少ないシャッタ装置を提供することを目的とする。
【課題を解決するための手段】
【００１３】
前記課題を解決するための第１の解決手段として本発明のシャッタ装置は、所定の口径の開口部が形成された基部を有するベース部材と、このベース部材のシャッタ支持部に支持されて前記開口部を開閉する方向に回動可能なシャッタ羽根と、このシャッタ羽根を回動操作可能な第１リンク部材とを備え、前記ベース部材には、前記基部の外側に配設した前記第１リンク部材を回動自在に支持可能な第１リンク支持部が形成され、
前記第１リンク部材は、前記第１リンク支持部に支持可能な回動支持部が形成され、この回動支持部を前記第１リンク支持部に支持した状態で左右端部がシーソー状に回動可能になっており、前記第１リンク部材の互いに対向する一方と他方の両面には、第１マグネットがそれぞれ固着され、このそれぞれの第１マグネットと対向する一方側には第１コイルが、他方側には第２コイルがそれぞれ配設され、前記第１、第２コイルに通電して発生する磁束が、それぞれの前記第１マグネットの磁束に作用して、前記第１リンク部材が前記回動支持部を支点として前記シーソー状に回動することにより、前記シャッタ羽根が前記開口部を開閉可能になっていることを特徴とする。
【００１４】
また、前記課題を解決するための第２の解決手段として、前記第１リンク部材には、前記シャッタ羽根を回動操作可能なシャッタ駆動部が形成され、前記シャッタ羽根は、薄板状に形成されて、前記ベース部材の前記シャッタ支持部に支持可能な支持部と前記第１リンク部材の前記シャッタ駆動部が係合可能な係合部とが形成され、
前記シャッタ羽根は、前記第１リンク部材の回動が前記シャッタ駆動部を介して前記係合部に伝達されると、前記支持部を支点として前記第１リンク部材の回動方向と逆方向に回動することを特徴とする。
【００１５】
また、前記課題を解決するための第３の解決手段として、前記第１リンク部材のシャッタ駆動部は、突起状に形成され、前記シャッタ羽根の前記係合部は、楕円状に形成され、前記第１リンク部材が回動すると、前記シャッタ駆動部が前記係合部の内周面をスライドして、前記シャッタ羽根が支持部を支点として前記開口部を開閉する方向に回動するようにしたことを特徴とする。
【００１６】
また、前記課題を解決するための第４の解決手段として、前記それぞれの第１マグネットは、中央部の磁壁を境として、左右の面が互いに異なる磁極になるように着磁されていることを特徴とする。
【００１７】
また、前記課題を解決するための第５の解決手段として、前記ベース部材は、前記基部の外周部から外側に突出する第１リンクガイド部を有し、この第１リンクガイド部に前記第１リンク支持部が形成され、前記第１マグネットには、前記第１リンクガイド部が位置した状態で回動可能な逃げ部が形成され、
前記第１リンク部材は、前記基部の外周部の外側に配設されて、前記回動支持部が前記第１リンク支持部に支持されると共に、前記一方の面に固着した前記第１マグネットの前記逃げ部に前記第１リンクガイド部が位置して、前記基部の外周部に沿って回動自在になっていることを特徴とする。
【００１８】
また、前記課題を解決するための第６の解決手段として、前記ベース部材には、前記基部の外周部から外側に突出する羽根ガイド部が形成され、この羽根ガイド部に形成した前記シャッタ支持部に支持された前記シャッタ羽根は、前記羽根ガイド部上を前記回動するようになっていることを特徴とする。
【００１９】
また、前記課題を解決するための第７の解決手段として、前記ベース部材の前記羽根ガイド部には、突起状のフィルタ支持部が形成され、このフィルタ支持部には、ＮＤフィルタを取り付けたフィルタ羽根、または前記開口部の口径より小さい小径穴を有する絞り羽根が回動自在に支持され、前記ＮＤフィルタまたは前記小径穴により、前記開口部を通過する光量を調整可能になっていることを特徴とする。
【００２０】
また、前記課題を解決するための第８の解決手段として、前記ベース部材の前記基部の外周部で、前記第１リンク部材と対向する側には、前記第１リンク部材と対称形状の第２リンク部材が配設され、前記ベース部材には、前記第２リンク部材を支持可能な第２リンク支持部が形成され、この第２リンク部材の一方と他方の面には、それぞれ第２マグネットが固着され、このそれぞれの第２マグネットと対向する側に前記第１、第２コイルが位置し、前記第１、第２コイルに通電することにより、前記フィルタ羽根または前記絞り羽根が回動するようにしたことを特徴とする。
【００２１】
また、前記課題を解決するための第９の解決手段として、前記それぞれの第２マグネットは、長手方向の左右端部が互いに異なる磁極になるように着磁されていることを特徴とする。
【００２２】
また、前記課題を解決するための第１０の解決手段として、前記第２マグネットは、前記長手方向の左右端部に、それぞれ磁性材からなるサイドヨークが配設され、このサイドヨークは、前記第２リンク部材に形成した支持溝に嵌合させて取り付けられていることを特徴とする。
【００２３】
また、前記課題を解決するための第１１の解決手段として、前記フィルタ羽根または絞り羽根は、前記シャッタ羽根の上部または下部に重ねて配置したことを特徴とする。
【００２４】
また、前記課題を解決するための第１２の解決手段として、前記第１、第２リンク部材と、前記シャッタ羽根および前記フィルタ羽根または絞り羽根とは、上方側への動きを規制可能なトップカバーが配設されていることを特徴とする。
【００２５】
また、前記課題を解決するための第１３の解決手段として、前記第１コイルは、ドーナッツ状の磁性材からなるボトムヨークに固着され、前記第２コイルは、リング状の磁性材からなるトップヨークに固着されて、それぞれの巻線部と対向する位置に前記第１、第２マグネットが位置するようになっていることを特徴とする。
【発明の効果】
【００２６】
本発明のシャッタ装置は、第１リンク部材の互いに対向する一方と他方の両面には、第１マグネットがそれぞれ固着され、このそれぞれの第１マグネットと対向する一方側には第１コイルが、他方側には第２コイルがそれぞれ配設され、前記第１、第２コイルに通電して発生する磁束が、それぞれの前記第１マグネットの磁束に作用して、第１リンク部材が回動支持部を支点としてシーソー状に回動することにより、シャッタ羽根が開口部を開閉可能になっているので、薄型のシャッター装置を提供できる。
また、第１リンク部材のリンク重心が回動支点となっているので、外部から衝撃等が加わった場合に、第１リンク部材が回動する弊害を防止できる。
【００２７】
また、シャッタ羽根は、第１リンク部材の回動がシャッタ駆動部を介して係合部に伝達されると、支持部を支点として第１リンク部材の回動方向と逆方向に回動するので、シャッタ羽根を第１リンク部材の小さな回動力で確実に回動させることができる。
また、シャッタ羽根は、薄板状で質量が小さいために、外部から衝撃等が加わったとしても、回動するのを防止できる。
【００２８】
また、第１リンク部材のシャッタ駆動部は、突起状に形成され、前記シャッタ羽根の前記係合部は、楕円状に形成され、第１リンク部材が回動すると、シャッタ駆動部が係合部の内周面をスライドして、シャッタ羽根が支持部を支点として開口部を開閉する方向に回動するようにしたので、更に確実にシャッタ羽根を回動させることができる。
【００２９】
また、それぞれの第１マグネットは、中央部の磁壁を境として、左右の面が互いに異なる磁極になるように着磁されているので、第１、第２コイルに通電する方向によって、第１リンク部材の回動方向を、時計回り方向、あるいは反時計回り方向に所望の方向に制御することができる。
【００３０】
また、第１リンク部材は、基部の外周部の外側に配設されて、回動支持部が第１リンク支持部に支持されると共に、一方の面に固着した第１マグネットの逃げ部に第１リンクガイド部が位置して、基部の外周部に沿って回動自在になっているので、第１リンク部材を回動させることができると共に、この第１リンク部材の回動でシャッタ羽根を確実に回動操作することができる。
そのために、シャッタ羽根を回動操作するためのスペースが小さくて良く、小型のシャッタ装置を提供できる。
【００３１】
また、ベース部材には、基部の外周部から外側に突出する羽根ガイド部が形成され、この羽根ガイド部に形成したシャッタ支持部に支持されたシャッタ羽根は、羽根ガイド部上を回動するようになっているので、シャッタ羽根は、羽根ガイド部にガイドされて、開口部を開閉する方向に確実に回動操作できる。
【００３２】
また、ベース部材の羽根ガイド部には、突起状のフィルタ支持部が形成され、このフィルタ支持部には、ＮＤフィルタを取り付けたフィルタ羽根、または開口部の口径より小さい小径穴を有する絞り羽根が回動自在に支持され、ＮＤフィルタまたは小径穴により、開口部を通過する光量を調整可能になっているので、ＮＤフィルタまたは小径穴で、確実で高精度に開口部を通過する光量を調整可能な絞り動作を行うことができる。
【００３３】
また、ベース部材には、第２リンク部材を支持可能な第２リンク支持部が形成され、この第２リンク部材には、第２マグネットが固着され、第２マグネットと対向する側に配設した第２コイルに通電することにより、フィルタ羽根または絞り羽根が回動するようにしたので、フィルタ羽根または絞り羽根を確実に回動させて開口部を通過する光量を高精度に調整することができる。
【００３４】
また、第２リンク部材の一方と他方の面には、それぞれ第２マグネットが固着され、このそれぞれの第２マグネットと対向する側に第１、第２コイルが位置し、前記第１、第２コイルに通電することにより、フィルタ羽根または絞り羽根が回動するようにしたので、第１、第２コイルへの通電によって、第２リンク部材を確実に回動させることができる。
【００３５】
また、それぞれの第２マグネットは、第２リンク部材に固着された一端部と他端部とが互いに異なる磁極になるように着磁されているので、第１、第２コイルに通電する方向によって、第２リンク部材の回動方向を、時計回り方向、あるいは反時計回り方向の所望の方向に制御することができる。
【００３６】
また、第２マグネットは、長手方向の左右端部に、それぞれ磁性材からなるサイドヨークが配設され、このサイドヨークは、第２リンク部材に形成した支持溝に嵌合させて取り付けられているので、第２マグネットの漏洩磁束を抑えて、大きな磁束密度を得ることができる。そのために、コイルに通電する電流が小さくても、確実に第２リンク部材を回動させることができる。
【００３７】
また、フィルタ羽根または絞り羽根は、シャッタ羽根の上部または下部に重ねて配置されているので、面積を小さくでき、小型のシャッタ装置を提供できる。
【００３８】
また、第１、第２リンク部材と、シャッタ羽根、およびフィルタ羽根または絞り羽根とは、上方側への動きを規制可能なトップカバーが配設されているので、それぞれの部材は、ムダな上下動のない回動をさせることができる。
そのために、操作性の良いシャッタ装置を提供できる。
【００３９】
また、第１コイルは、ドーナッツ状の磁性材からなるボトムヨークに固着され、    前記第２コイルは、リング状の磁性材からなるトップヨークに固着されて、それぞれの巻線部と対向する位置に前記第１、第２マグネットが位置するようになっているので、第１、第２コイルに通電する方向を換えることで、第１、第２リンク部材を所望の方向に回動させることができる。
【発明を実施するための最良の形態】
【００４０】
以下、本発明に関するシャッタ装置の実施の形態を図１〜図９に基づいて説明する。図１は本発明に関するシャッタ装置の分解斜視図であり、図２は図１の平面図であり、図３は本発明に関するシャッタ装置の分解側面図であり、図４は本発明に関するシャッタ装置の側面図であり、図５〜図９は本発明に関するシャッタ装置の動作を説明する概略平面図である。
【００４１】
まず、本発明の実施の形態のシャッタ装置２１を図１〜図４に基づいて説明すると、最下部には、外径が略円形状のボトムヨーク２２が配設され、このヨーク２２は、鋼板等の磁性材で形成されている。前記ボトムヨーク２２は、中央部に後述するベース部材２４の円形状の基部２４ｂが挿入可能な開口２２ａを有して、外形が略ドーナッツ状に形成されている。
また、ボトムヨーク２２は、図示手前側と奥側の互いに対向する部分にそれぞれ切り欠き部２２ｂ、２２ｂが形成され、切り欠き部２２ｂの図示右側に第１平面部２２ｃ、図示左側に第２平面部２２ｄがそれぞれ形成されている。
【００４２】
また、ボトムヨーク２２の上面には、外径がボトムヨーク２２の外径と略同じ大きさに形成され、中央部に開口２３ａを有するドーナツ状に巻回された巻線部２３ｂが形成されている。
そして、第１コイル２３は、ボトムヨーク２２のそれぞれの平面部２２ｃ、２２ｄに巻線部２３ｂが接着材等で固着されている。
また、第１コイル２３上には、樹脂材料からなるベース部材２４が配設されている。このベース部材２４は、中央部に所定の口径の開口部２４ａを有する略円筒状の基部２４ｂが形成されている。
【００４３】
前記基部２４ｂは、所定の径寸法と高さ寸法で形成され、ボトムヨーク２２および第１コイル２３の開口２２ａ、２３ａに挿入可能になっている。
また、基部２４ｂからは、外側に突出して第１リンクガイド部２４ｃが形成され、この第１リングガイド部２４ｃには、所定高さで図示上方に突出する第１リンク支持部２４ｄが形成されている。
【００４４】
また、基部２４ｂの図示奥側には、略扇状で面積の広い羽根ガイド部２５が、基部２４ｂの表面と同一面に形成され、この羽根ガイド部２５の図示右端部側にシャッタ支持部２５ａと、図示左端部側にフィルタ支持部２５ｂとが所定の径寸法と高さ寸法で突出形成されている。
また、羽根ガイド部２５の外周側で、シャッタ支持部２５ａとフィルタ支持部２５ｂとの間には、それぞれの支持部２５ａ、２５ｂと略同じ高さで凸部２５ｃが形成されされている。
【００４５】
前記羽根ガイド部２５の凸部２５ｃと対向する図示手前側の基部２４ｂ上には、凸部２５ｃと同じ高さで凸部２５ｄが形成されている。
また、基部２４ｂの第１リンクガイド部２４ｃと対称位置には、第１リンクガイド部２４ｃと同形状の第２リンクガイド部２６が外向きに突出形成されている。
前記第２リンクガイド部２６には、第１リンク支持部２４ｄと同形状の第２リンク支持部２６ａが突出形成されている。
また、凸部２５ｃより内側の位置で羽根ガイド部２５の上面には、カーボン等の導電性粉末を練り込みした樹脂材料等からなり薄板状に形成されたシャッタ羽根２７が配設されている。
【００４６】
このシャッタ羽根２７の図示右端部側には、シャッタ支持部２５ａに回動自在に嵌合可能な丸孔からなる支持部２７ａが形成されると共に、この支持部２７ａに隣接する手前側に楕円孔からなる係合部２７ｂが形成されている。
また、シャッタ羽根２７には、図示左側の一端部側に、開口部２４ａの口径より大きな遮蔽部２７ｃが形成されている。
このようなシャッタ羽根２７は、後述する第１リンク部材２９がシーソ状に回動することにより、第１リンク部材２９に形成したシャッタ駆動部２９ｅが係合部２７ｂの内壁を押圧しながらスライドする。
このことにより、シャッタ羽根２７は、支持部２７ａを支点として、遮蔽部２７ｃが開口部２４ａを開閉する方向に回動するようになっている。
【００４７】
また、シャッタ羽根２７の上部には、フィルタ羽根２８が重なって配設され、このフィルタ羽根２８は、シャッタ羽根２７と同様にカーボン粉末を練り込みした樹脂材料等で薄板状に形成されている。そのために、シャッタ羽根２７とフィルタ羽根２８とが回動時に擦れても、発生する静電気等を瞬時に除電して、回動の障害にならないようになっている。
また、フィルタ羽根２８は、図示右側の一端部側にベース部材２４の開口部２４ａより径寸法が若干大きく形成された開口２８ａを有するリング状のフィルタ支持部２８ｂが形成されている。
【００４８】
前記フィルタ羽根２８は、図示左側の他端部側に、フィルタ支持部２５ｂに回動自在に嵌合可能な丸孔からなる支持部２８ｃが形成され、この支持部２８ｃに隣接する手前側に楕円孔からなる係合部２８ｄが形成されている。
そして、フィルタ支持部２８ｂには、開口部２４ａを通過する光の光量を調整可能なフィルム状のＮＤフィルタ（図示せず）が接着剤等で取り付けられている。
このようなフィルタ羽根２８は、後述する第２リンク部材３１がシーソ状に回動することにより、第２リンク部材３１に形成したシャッタ駆動部３１ｆが係合部２８ｄの内壁を押圧しながらスライドする。
このことにより、フィルタ羽根２８は、支持部２８ｃを支点として、遮蔽部フィルタ支持部２８ｂが開口部２４ａを開閉する方向に回動するようになっている。
【００４９】
また、ベース部材２４の第１リンクガイド部２４ｃ上には、樹脂材料からなり円弧状に形成された第１リンク部材２９が載置されている。
前記第１リンク部材２９は、円弧状で薄板状のマグネット固着部２９ａが形成され、このマグネット固着部２９ａの円弧状の長手方向の略中央部に貫通孔からなる回動支持部２９ｂが形成されている。
そして、マグネット固着部２９ａの互いに対向する上下面である一方と他方の面には、板状で円弧状の第１マグネット３０がそれぞれ接着剤等で固着されるようになっている。
【００５０】
また、第１リンク部材２９は、マグネット固着部２９ａの円弧状の長手方向の両端部に、第１マグネット３０を位置決めするための位置決め部２９ｃ、２９ｄが形成されている。
そして、図示右側の位置決め部２９ｃは、下面側がマグネット固着部２９ａの下面より高い階段状になっている。前記奥側の位置決め部２９ｃの下面からは、図示下向きに突出してシャッタ駆動部２９ｅが形成されている。
前記シャッタ駆動部２９ｅにシャッタ羽根２７の係合部２７ｂが係合するようになっている。
【００５１】
また、永久磁石からなる第１マグネット３０は、第１リンク部材２９の位置決め部２９ｃ、２９ｄに位置決めされて固着されている。
前記一対の第１マグネット３０は、磁性をもつ金属粉を練り込みした樹脂材料を成形加工して形成され、円弧状の長手方向の中央部に左右の異なる磁極を仕切る磁壁３０ａを有し、この磁壁３０ａを境として図示左右の面が、互いに異なる磁極になるように着磁されている。
即ち、マグネット固着部２９ａの上面側の第１マグネット３０は、例えば磁壁３０ａを境として図示右側の上面がＳ極となり、図示左側の上面がＮ極となるようになっている。また、マグネット固着部２９ａの下面側の第１マグネット３０は、磁壁３０ａを境として図示右側の下面がＮ極となり、図示左側の下面がＳ極となっている。
【００５２】
また、一対の第１マグネット３０は、中央部の磁壁３０ａが形成された部分に略円弧状に切り欠きされて逃げ部３０ｂが形成されている。
このような一対の第１マグネット３０をマグネット固着部２９ａの上下面に取り付けた第１リンク部材２９を、ベース部材２４の第１リンクガイド部２４ｃに載置すると、下面側の第１マグネット３０の逃げ部３０ｂに、第１リンクガイド部２４ｃの外周部が位置するようになっている。
このことにより、第１リンク部材２９は、回動支持部２９ｂを支点として左右端部の位置決め部２９ｃ、２９ｄが基部２４ｂの外周部に近づいたり離れたりするシーソー状に回動するようになっている。
即ち、第１リンク部材２９は、ベース部材２４の基部２４ｂに沿ってシーソー状に回動可能になっている。
【００５３】
また、ベース部材２４の第２リンクガイド部２６には、第１リンク部材２９と対称形状に形成された第２リンク部材３１が載置されている。前記第２リンク部材３１は、薄板で円弧状のマグネット固着部３１ａの略中央部に貫通孔からなる回動支持部３１ｂが形成されている。
また、マグネット固着部３１ａの円弧状の長手方向の両端部に、第１リンク部材２９と略同形状の位置決め部３１ｃ、３１ｄが形成されている。
【００５４】
前記位置決め部３１ｃ、３３１ｄに接する内側には、所定幅と深さの支持溝３１ｅがそれぞれ形成され、このそれぞれの支持溝３１ｅに磁性材からなるサイドヨーク３２が挿入可能になっている。
また、第２リンク部材３１の奥側の階段状に形成された位置決め部３１ｃには、下面から図示下向きに突出するフィルタ駆動部３１ｆが形成されて、フィルタ羽根２８を回動操作可能になっている。
【００５５】
また、一対の支持溝３１ｅに挿入して取り付けたそれぞれのサイドヨーク３２間のマグネット固着部３１ａの上下面には、第１マグネット３０と対称形状に形成された一対の第２マグネット３３が接着剤等で固着されている。
前記一対の第２マグネット３３は、円弧状の長手方向の両端部が、互いに異なる磁極になるように着磁されている。例えば図示奥側の一端部がＮ極に、図示手前側の他端部がＳ極になっている。
そして、第２マグネット３３は、両端部に配設した磁性材からなるサイドヨーク３２によって、漏洩磁束が抑えられて、大きな磁束密度を得ることができるようになっている。
【００５６】
また、一対の第２マグネット３３は、中央部が形成された部分に略円弧状に切り欠きされた逃げ部３３ａが形成されている。
このような一対の第２マグネット３３を取り付けた第２リンク部材３１は、ベース部材２４の第２リンクガイド部２６に載置可能になっている。
そして、回動支持部３１ｂを第２リンク支持部２６ａに挿入して第２リンク部材３１を第２リンクガイド部２６に載置すると、下面側の第２マグネット３３の逃げ部３３ａに第２リンクガイド部２６の外周部が位置するようになっている。
【００５７】
また、ベース部材２４の上方には、ベース部材２４と外形が略同形状に形成された樹脂材料からなるトップカバー３４が配設されている。前記トップカバー３４は、ベース部材２４の開口部２４ａより大きな開口部３４ａを有する円筒状の基部３４ｂが形成されている。
この基部３４ｂは、ベース部材２４の基部２４ｂと略同じ大きさに形成され、第１、第２リンクガイド部２４ｃ、２６と対向する位置に略同形状の第１、第２リンクガイド部３４ｃ、３４ｄが形成されている。
また、ベース部材２４の扇状の羽根ガイド部２５と対向する位置に略同形状の羽根ガイド部３４ｅが形成されている。
【００５８】
前記トップカバー３４の上方には、第１コイル２３と同形状の第２コイル３５が配設されている。この第２コイル３５は、中央部にトップカバー３４の基部３４ｂが挿入可能な大きさの開口３５ａを有するドーナツ状の巻線部３５ｂが形成されている。そして、第２コイル３５は、上方に配設したトップヨーク３６に巻線部３５ｂが接着材等で固着されている。
前記トップヨーク３６は、磁性材からなり形状が第２コイル３５と略同形状に形成されて、中央部に開口３６ａが形成されて略ドーナツ状になっている。また、トップヨーク３６は、ボトムヨーク２２の切り欠き部２２ｂと対向する位置に切り欠き部３６ｂ、３６ｂが形成され、この切り欠き部３６ｂの図示右側に第１平面部３６ｃ、図示左側に第２平面部３６ｅが形成されている。
【００５９】
このような構成の本発明のシャッタ装置２１の組立は、ボトムヨーク２２に接着剤等で固着した第１コイル２３の上にベース部材２４を載置すると、基部２４ｂが第１コイル２３の開口２３ａに位置して、第１、第２リンクガイド部２４ｃ、２６および扇状の羽根ガイド部２５が、第１コイル２３の巻線部２３ｂ上に位置する。
次ぎに、ベース部材２４のシャッタ支持部２５ａにシャッタ羽根２７の支持部２７ａを挿入して、羽根ガイド部２５上にシャッタ羽根２７を載置する。この時、シャッタ羽根２７の係合部２７ｂは、羽根ガイド部２５の外側に位置する。
次ぎに、ベース部材２４のフィルタ支持部２６ａにフィルタ羽根２８の支持部２８ｃを挿入して、シャッタ羽根２７の上にフィルタ羽根２８を重ねて載置する。この時、フィルタ羽根２８の係合部２８ｄは、羽根ガイド部２５の外側に位置する。
【００６０】
次ぎに、マグネット固着部２９ａの上下面に第１マグネット３０を取り付けた第１リンク部材２９の回動支持部２９ｂを、ベース部材２４の第１リンク支持部２４ｄに挿入して、第１リンク部材２９を第１リンクガイド部２４ｃに載置する。すると、シャッタ駆動部２９ｅがシャッタ羽根２７の楕円状の係合部２７ｂに係合すると共に、下面側の第１マグネット３０の逃げ部３０ｂが第１リンクガイド部２４ｃの外周側に位置する。
そして、第１リンク部材２９は、回動支持部２９ｂを支点としてシーソ状に回動可能にベース部材２４の外側に支持される。
【００６１】
次ぎに、マグネット固着部３１ａの上下面に第２マグネット３３を取り付けた第２リンク部材３１の回動支持部３１ｂを、ベース部材２４の第２リンク支持部２６ａに挿入して、第２リンク部材３１を第２リンクガイド部２６に載置する。
すると、フィルタ駆動部３１ｆがフィルタ羽根２８の楕円状の係合部２８ｄに係合すると共に、下面側の第２マグネット３３の逃げ部３３ａが第２リンクガイド部２６の外周側に位置する。
そして、第２リンク部材３１は、回動支持部３１ｂを支点としてシーソ状に回動可能にベース部材２４の外側に支持される。
【００６２】
次ぎに、シャッタ羽根２７、フィルタ羽根２８、第１、第２リンク部材２９、３１を載置したベース部材２４上からトップカバー３４をかぶせると、トップカバー３４は、ベース部材２４のそれぞれの凸部２５ｃ、２５ｄに当接すると共に、第１リンクガイド部３４ｃがベース部材２４の第１リンク支持部２４ｄに当接する。また、トップカバー３４の第２リンクガイド部３４ｄが、ベース部材２４の第２リンク支持部２６ａに当接する。
このことにより、シャッタ羽根２７、フィルタ羽根２８、第１、第２リンク部材２９、３１が、ベース部材２４とトップカバー３４とに回動自在狭持される。
【００６３】
次ぎに、トップカバー３４の上から、第２コイル３５を固着したトップヨーク３６を載置すると、開口３５ａ、３６ａにトップカバー３４の基部３４ｂが挿入されて位置する。
この状態のボトムヨーク２２とトップヨーク３６の外周部を、図示を省略したケ−ス部材で保持固定して本発明のシャッタ装置２１が組み立てられている。
【００６４】
このように組み立てられた本発明のシャッタ装置２１の動作は、まず図５に示すような初期状態においては、シャッタ羽根２７、フィルタ羽根２８がベース部材２４の開口部２４ａを開放した状態になっている。
この初期状態においては、第１リンク部材２９が回動支持部２９ｂを支点として反時計回り方向に回動していると共に、第２リンク部材３１が回動支持部３１ｂを支点として時計回り方向に回動している。
【００６５】
そして、初期状態における第１、第２コイル２３、３５の両方に、矢印Ｂ方向に同じ電流で通電を行うと、発生する磁束が第２マグネット３３の磁束に作用して、第２リンク部材３１は、第１、第２コイル２３、３５から回動支持部３１ｂを中心にして逆向きの力を受けるために回動しない。
また、第１リンク部材２９は、図６、図７に示すように、回動支持部２９ｂを支点として第１、第２コイル２３、３５から同じ回転方向に力を受けるために、時計回り方向に回動して、シャッタ駆動部２９ｅがシャッタ羽根２７の楕円状の係合部２７ｂ内をスライドする。
【００６６】
このことにより、シャッタ羽根２７が支持部２７ａを支点として反時計回り方向に回動して、遮蔽部２７ｃが開口部２４ａを閉じるシャッタ動作が行われる。
即ち、シャッタ羽根２７は、第１リンク部材２９の回動方向と逆方向に回動するようになっている。
また、第１、第２コイル２３、３５の両方に矢印Ａ方向の通電を行うと、第２リンク部材３１は、前述したのと同じ理由で、初期状態のままで停止しているが、第１リンク部材２９は、図示を省略するが、反時計回り方向に回動して、開口部２４ａを閉じたシャッタ羽根２７が、開口部２４ａを開放する時計回り方向に回動する。
【００６７】
また、図５に示す初期状態から、フィルタ羽根２８を回動させるには、第１コイル２３に矢印Ｂ方向の通電を行うと共に、第２コイル３５に逆方向の矢印Ａ方向に通電する。すると、図８、図９に示すように、第１リング部材２９は第１、第２コイル２３、３５から回動支持部２９ｂを中心にして逆向きの力を受けるために初期状態で停止したままで、第２リンク部材３１が回動支持部３１ｂを支点として第１、第２コイル２３、３５から同じ回転方向に力を受けるために、反時計回り方向に回動する。そして、  フィルタ駆動部３１ｆがフィルタ羽根２８の楕円状の係合部２８ｄ内をスライドする。
【００６８】
このことにより、フィルタ羽根２８が支持部２８ｃを支点として時計回り方向に回動して、フィルタ支持部２８ｂに取り付けたＮＤフィルタ（図示せず）が開口部２４ａを閉じる絞り動作が行われる。
即ち、フィルタ羽根２８は、第２リンク部材３１の回動方向と逆方向に回動するようになっている。
【００６９】
また、第１コイル２３に矢印Ａ方向の通電を行うと共に、第２コイル３５に逆方向の矢印Ｂ方向の通電を行うと、第１リンク部材２９は、前述したのと同じ理由で、初期状態のままで停止しているが、第２リンク部材３１は、図示を省略するが、時計回り方向に回動して、開口部２４ａを閉じたフィルタ羽根２８が、開口部２４ａを開放する方向の反時計回り方向に回動する。
即ち、本発明のシャッタ装置２１は、第１、第２コイル２３、３５の通電方句を切り換えるだけで、第１、第２リンク部材２９、３１の回動方向が変わって、シャッタ羽根２７およびフィルタ羽根２８の回動方向を制御できる。
【００７０】
尚、本発明の実施の形態では、第１マグネット３０を第１リンク部材２９に取り付け、第２マグネット３３を第２リンク部材３１の取り付けたもので説明したが、第１マグネット３０を第２リンク部材３１に取り付け、第２マグネット３３を第１リンク部材２９の取り付けたものでも良い。
また、第１リンク部材２９の回動支持部２９ｂを丸孔で形成し、この回動支持部２９ｂに挿入する第１リンク支持部２４ｄを突起状のもので説明したが、回動支持部２９ｂを突起状に、第１リンク支持部２４ｄを丸孔で形成したものでも良い。
【００７１】
また、ベース部材２４のシャッタ支持部２５ａを突起状で形成し、このシャッタ支持部２５ａに挿入するシャッタ羽根２７の支持部２７ａを丸孔で説明したが、シャッタ支持部２５ａを丸孔で、支持部２７ａを突起状に形成したものでも良い。
また、本発明では、ベース部材２４のフィルタ支持部２５ｂにフィルタ羽根２８を支持したもので説明したが、フィルタ支持部２５ｂには、フィルタ羽根２８に換えて、ベース部材２４の開口部２４ａの口径より小さい小径穴を有する絞り羽根（図示せず）を支持し、この絞り羽根によって開口部２４ａを通過する光量を調整する絞り動作を行うようにしたものでも良い。
【００７２】
また、本発明のシャッタ装置２１は、第１、第２リンク部材２９、３１の回動支持部２９ｂ、３１ｂがリンク重心となるので、左右端部のバランスが保たれている。
そのために、第１、第２コイル２３、３５に通電しない無通電時に、外部から衝撃力が加わったとしても、第１、第２リンク部材２９、３１は回動しない。    また、シャッタ羽根２７およびフィルタ羽根２８は、薄板状に形成されて質量が非常に小さいので、外部から衝撃力が加わったとしても回動しないようになっている。
【図面の簡単な説明】
【００７３】
【図１】本発明に関するシャッタ装置の分解斜視図である。
【図２】本発明に関するシャッタ装置の平面図である。
【図３】本発明に関するシャッタ装置の分解側面図である。
【図４】本発明に関するシャッタ装置の側面図である。
【図５】本発明に関するシャッタ装置の動作を説明する概略平面図である。
【図６】本発明に関するシャッタ装置の動作を説明する概略平面図である。
【図７】本発明に関するシャッタ装置の動作を説明する概略平面図である。
【図８】本発明に関するシャッタ装置の動作を説明する概略平面図である。
【図９】本発明に関するシャッタ装置の動作を説明する概略平面図である。
【図１０】従来のシャッタ装置の分解斜視図である。
【符号の説明】
【００７４】
２１  本発明のシャッタ装置
２２  ボトムヨーク
２３  第１コイル
２４  ベース部材
２４ａ  開口部
２４ｂ  基部
２４ｃ  第１リンクガイド部
２４ｄ  第１リンク支持部
２５  羽根ガイド部
２５ａ  シャッタ支持部
２５ｂ  フィルタ支持部
２６  第２リンクガイド部
２６ａ  第２リンク支持部
２７  シャッタ羽根
２８  フィルタ羽根
２９  第１リンク部材
２９ａ  マグネット固着部
２９ｂ  回動支持部
３０  第１マグネット
３１  第２リンク部材
３２  サイドヨーク
３３  第２マグネット
３４  トップカバー
３５  第２コイル
３６  トップヨーク
【図１】
2005227530.tif 000003
【図２】
2005227530.tif 000004
【図３】
2005227530.tif 000005
【図４】
2005227530.tif 000006
【図５】
2005227530.tif 000007
【図６】
2005227530.tif 000008
【図７】
2005227530.tif 000009
【図８】
2005227530.tif 000010
【図９】
2005227530.tif 000011
【図１０】
2005227530.tif 000012